(57)【要約】【課題】不正行為の防止が充分図れるようになる基板ケース及び遊技機の提供。【解決手段】ベース体71及び蓋体72を相互に連結すると、噛合部81, 91が噛み合って互いに連結される一対の連結体80, 90を設け、基板ケース23を開くと、連結体90の根本部分が破壊されて、ベース体71側の電極部82A, 82Bが、それぞれ蓋体72側の電極部92A, 92Bの各々から離れ、側壁体83の電力供給線82C と、連結体90の電力供給線92B と、連結体80の電力供給線82B とが互いに分離するようにする。これにより、電源装置４からの電力を主基板70へ供給する電力供給路75が途中で遮断される。従って、たとえ不正ＲＯＭに交換する作業が成功したとしても、基板ケース23を開いた時点で、スロットマシン１が動作しなくなるので、不正行為の防止を充分図ることができる。【選択図】    図５
2008119030.tif 000002
【特許請求の範囲】
【請求項１】
遊技機の遊技動作を制御するための制御回路が形成されている制御基板を内部に収納するために、箱状に形成された基板ケースであって、
遊技機側に取り付けられるベース体と、
このベース体とともに前記制御基板を収納する箱状を形成する蓋体と、
前記ベース体及び前記蓋体のそれぞれに一体的に形成されているとともに、前記ベース体及び前記蓋体を相互に連結すると、互いに連結される一対の連結体とが設けられ、
前記一対の連結体のそれぞれは、互いに噛み合って結合する噛合部を有し、噛合部が一旦噛み合うと破壊されないかぎり分離が不可能とされ、
且つ、前記一対の連結体のそれぞれには、前記噛合部が噛み合うと互いに電気的に導通し、電源からの電力を前記制御基板へ供給する電力供給路の一部を形成する導電部が設けられ、
前記噛合部が噛み合った前記連結体を破壊して分離すると、前記導電部の電気的導通が解除されて前記電力供給路が遮断されるように形成されていることを特徴とする基板ケース。
【請求項２】
前記一対の連結体の各々は、互いに相手側に向かって延びるとともに、先端部分が互いに噛み合うように鉤状に折り曲げられることにより形成された前記噛合部を有し、
前記噛合部の各々には、当該噛合部が先細りとなるように、当該連結体の先端側を向くとともに、当該連結体に対して傾斜した案内面と、相手側の噛合部を係止するために、当該連結体の基端側を向くとともに、当該連結体に略直交する係止面とが設けられ、
前記導電部は、前記一対の連結体のそれぞれに設けられている前記噛合部の前記係止面に形成されている電極部を備えていることを特徴とする請求項１記載の基板ケース。
【請求項３】
前記ベース体及び前記蓋体の一方は、自身に設けられている連結体と対向するように形成された側壁体を備え、これら側壁体及び連結体の間に、他方に設けられている連結体が挿入されるように形成されたものであり、
前記導電部は、前記係止面に形成されている電極部に加えて、前記ベース体及び前記蓋体の他方に設けられている連結体、及び、前記ベース体及び前記蓋体の一方に設けられている側壁体のそれぞれ対応する位置に形成されている電極部を備え、
電源からの電力が、前記ベース体及び前記蓋体の一方に設けられている側壁体、並びに、前記ベース体及び前記蓋体の他方及び一方のそれぞれに設けられている連結体の三つの部位を経由して、前記制御基板に供給されるように形成されていることを特徴とする請求項２記載の基板ケース。
【請求項４】
前記導電部は、前記ベース体及び前記蓋体の一方に埋め込まれた状態で、前記ベース体及び前記蓋体の一方の表面から前記側壁体の電極部まで延びる第１の電気伝導部と、
前記ベース体及び前記蓋体の他方に埋め込まれた状態で、前記ベース体及び前記蓋体の他方の連結体に設けられている電極部同士を導通する第２の電気伝導部と、
前記ベース体及び前記蓋体の一方に埋め込まれた状態で、前記ベース体及び前記蓋体の一方の連結体の電極部から前記制御基板近傍の所定位置まで延びる第３の電気伝導部とを備えていることを特徴とする請求項３記載の基板ケース。
【請求項５】
遊技動作を制御するための制御回路が形成されている制御基板と、この制御基板を内部に収納するために、箱状に形成された基板ケースとを備えた遊技機であって、
前記基板ケースには、遊技機側に取り付けられるベース体と、
このベース体とともに前記制御基板を収納する箱状を形成する蓋体と、
前記ベース体及び前記蓋体のそれぞれに一体的に形成されているとともに、前記ベース体及び前記蓋体を相互に連結すると、互いに連結される一対の連結体とが設けられ、
前記一対の連結体のそれぞれは、互いに噛み合って結合する噛合部を有し、噛合部が一旦噛み合うと破壊されないかぎり分離が不可能とされ、
且つ、前記一対の連結体のそれぞれには、前記噛合部が噛み合うと互いに電気的に導通し、電源からの電力を前記制御基板へ供給する電力供給路の一部を形成する導電部が設けられ、
前記噛合部が互いに噛み合っている前記連結体を破壊して分離すると、前記導電部の電気的導通が解除されて前記電力供給路が遮断されるように形成されていることを特徴とする遊技機。
【発明の詳細な説明】
【技術分野】
【０００１】
本発明は、遊技機の遊技動作を制御するための制御回路が形成されている制御基板を内部に収納するために、箱状に形成された基板ケース、及び、この基板ケースを備えた遊技機に関する。
【背景技術】
【０００２】
従来から、人々に娯楽を提供するために、スロットマシン等の様々な遊技機が利用されている。例えば、スロットマシンは、複数種類の図柄が記されるとともに回転駆動可能に設けられた回転リールを備えたものであり、複数の回転リールを停止させた際に、所定の図柄の組合せが表示されるように、これらの回転リールを停止させるこことができれば、入賞となるゲームを遊技者に行わせ、これにより、遊技者に娯楽を提供するものとなっている。
このようなスロットマシンは、前面側に開口を有する箱状の筐体と、前面側の開口を開閉するための前扉とを備えたものとなっている。そして、筐体の内部には、前述の回転リールを有するリールユニット、遊技用のメダルを遊技者に払い出すためのホッパーユニット、並びに、リールユニット及びホッパーユニット等の遊技動作を制御するための制御装置等が収納されている。
【０００３】
ここで、スロットマシン等の遊技機に設けられている制御装置は、遊技動作を制御するための制御回路が形成された制御基板を備えたものが一般的である。そして、この制御基板には、遊技動作を制御するプログラムを記憶したＲＯＭや、ＲＯＭに記憶されたプログラムを実行するＣＰＵとなるＬＳＩ等の電子部品が実装されている。
このような制御基板は、真正のＲＯＭを入賞しやすい不正なプログラムを記憶した不正ＲＯＭに交換する等の不正行為を防止するために、箱状に形成された透明な合成樹脂製の基板ケースの内部に収納されている。
制御基板を収納する基板ケースとしては、遊技機側に取り付けられるベース体と、このベース体とともに前記制御基板を収納する箱状を形成する蓋体と、これらのベース体及び蓋体の各々に設けられるとともに、ネジで互いに連結される一対の固定部とを備えたものが一般的に利用されている。
【０００４】
このような基板ケースにおいて、一旦連結すると再度分離することができない固定部が採用され、且つ、そのベース体及び蓋体の各々と固定部との間に形成されるとともに、ベース部と蓋部とを分離する際に破断される破断部と、破断部の破断とともに容易に切断されるように、破断部に沿って配置される切断部位を有し、この切断部位が切断されると電気抵抗が変化する電気配線と、この電気配線の電気抵抗の変化を検知する検知手段とが設けられたものが知られている。
このような基板ケースによれば、不正ＲＯＭに交換する等の不正行為を行うために、基板ケースを開く、換言すると、ベース部から蓋部を分離する際に、破断部を破断すると、切断部位も切断され、この切断部位の切断により、電気配線の電気抵抗が変化するようになっているので、この電気配線の電気抵抗の変化を検知手段が検知し、その旨をランプやブザーで遊技機の管理者等に報知することができ、これにより、不正行為の防止を図ることができる（例えば、特許文献１参照）。
【特許文献１】特開２００６−６５３５号公報（第７頁、図６及び図８）
【発明の開示】
【発明が解決しようとする課題】
【０００５】
前述のような基板ケースでは、例えば、破断部を破断せずに、固定部を破断部から切り離すことでも、ベース部から蓋部を分離することが可能なので、切断部位を切断することなく、基板ケースを開くことができる。従って、このようにして基板ケースを開けば、遊技機の管理者等に知られることなく、不正ＲＯＭに交換する等の不正行為を行うことができるため、不正行為の防止を充分図ることができない、という問題がある。
そこで、各請求項にそれぞれ記載された各発明は、上記した従来の技術の有する問題点に鑑みてなされたものであり、その目的とするところは、不正行為の防止が充分図れるようになる基板ケース及び遊技機を提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載の発明は、遊技機(１)の遊技動作を制御するための制御回路が形成されている制御基板(70)を内部に収納するために、箱状に形成された基板ケース(23)であって、遊技機(１)側に取り付けられるベース体(71)と、このベース体(71)とともに前記制御基板(70)を収納する箱状を形成する蓋体(72)と、前記ベース体(71)及び前記蓋体(72)のそれぞれに一体的に形成されているとともに、前記ベース体(71)及び前記蓋体(72)を相互に連結すると、互いに連結される一対の連結体(80, 90)とが設けられ、前記一対の連結体(80, 90)は、互いに噛み合って結合する噛合部(81, 91)を有し、噛合部(81, 91)が一旦噛み合うと破壊されないかぎり分離が不可能とされ、且つ、前記一対の連結体(80, 90)のそれぞれには、前記噛合部(81, 91)が噛み合うと互いに電気的に導通し、電源(４)からの電力を前記制御基板(70)へ供給する電力供給路(75)の一部を形成する導電部(82, 92)が設けられ、前記噛合部(81, 91)が互いに噛み合っている前記連結体(80, 90)を破壊して分離すると、前記導電部(82, 92)の電気的導通が解除されて前記電力供給路(75)が遮断されるように形成されていることを特徴とする。
【０００７】
（請求項２）
（特徴点）
請求項２記載の発明は、前述した請求項１に記載の発明において、次の特徴点を備えているものである。
すなわち、請求項２記載の発明は、前記一対の連結体(80, 90)の各々として、互いに相手側に向かって延びるとともに、先端部分が互いに噛み合うように鉤状に折り曲げられることにより形成された前記噛合部(81, 91)を有するものが採用され、前記噛合部(81, 91)の各々には、当該噛合部(81, 91)が先細りとなるように、当該連結体(80, 90)の先端側を向くとともに、当該連結体(80, 90)に対して傾斜した案内面(81A, 91A)と、相手側の噛合部(81, 91)を係止するために、当該連結体(80, 90)の基端側を向くとともに、当該連結体(80, 90)に略直交する係止面(81B, 91B)とが設けられ、前記導電部(82, 92)は、前記一対の連結体(80, 90)のそれぞれに設けられている前記噛合部(81, 91)の前記係止面(81B, 91B)に形成されている電極部(82A, 92A)を備えていることを特徴とする。
【０００８】
（請求項３）
（特徴点）
請求項３記載の発明は、前述した請求項２に記載の発明において、次の特徴点を備えているものである。
すなわち、請求項３記載の発明は、前記ベース体(71)及び前記蓋体(72)の一方として、自身に設けられている連結体(80)と対向するように形成された側壁体(83)を備え、これらの側壁体(83)及び連結体(80)の間に、他方（蓋体72）に設けられている連結体(90)が挿入されるように形成されたもの(ベース体71)が採用され、前記導電部(82, 92)は、前記係止面(81B, 91B)に形成されている電極部(82A, 92A)に加えて、前記ベース体(71)及び前記蓋体(72)の他方に設けられている連結体(90)、及び、前記ベース体(71)及び前記蓋体(72)の一方に設けられている側壁体(83)のそれぞれ対応する位置に形成されている電極部(82B, 92B)を備え、電源(４)からの電力が、前記ベース体(71)及び前記蓋体(72)の一方に設けられている側壁体(83)、並びに、前記ベース体(71)及び前記蓋体(72)の他方及び一方のそれぞれに設けられている連結体(80, 90)の三つの部位を経由して、前記制御基板(70)に供給されるように形成されていることを特徴とする。
【０００９】
（請求項４）
（特徴点）
請求項４記載の発明は、前述した請求項３に記載の発明において、次の特徴点を備えているものである。
すなわち、請求項４記載の発明は、前記導電部(82, 92)に、前記ベース体(71)及び前記蓋体(72)の一方に埋め込まれた状態で、前記ベース体(71)及び前記蓋体(72)の一方の表面から前記側壁体(83)の電極部(82B) まで延びる第１の電気伝導部(82C) と、前記ベース体(71)及び前記蓋体(72)の他方に埋め込まれた状態で、前記ベース体(71)及び前記蓋体(72)の他方の連結体(90)に設けられている電極部(92B, 92A)同士を導通する第２の電気伝導部(92C) と、前記ベース体(71)及び前記蓋体(72)の一方に埋め込まれた状態で、前記ベース体(71)及び前記蓋体(72)の一方の連結体(80)の電極部(82A) から前記制御基板(70)近傍の所定位置まで延びる第３の電気伝導部(82D) とが設けられていることを特徴とする。
【００１０】
（請求項５）
（特徴点）
請求項５記載の発明は、前述した請求項１に記載の基板ケースを備えた遊技機であって、具体的には、次の特徴点を備えているものである。
すなわち、請求項５記載の発明は、遊技動作を制御するための制御回路が形成されている制御基板(70)と、この制御基板(70)を内部に収納するために、箱状に形成された基板ケース(23)とを備えた遊技機(１)であって、前記基板ケース(23)には、遊技機(１)側に取り付けられるベース体(71)と、このベース体(71)とともに前記制御基板(70)を収納する箱状を形成する蓋体(72)と、前記ベース体(71)及び前記蓋体(72)のそれぞれに一体的に形成されているとともに、前記ベース体(71)及び前記蓋体(72)を相互に連結すると、互いに連結される一対の連結体(80, 90)とが設けられ、
前記一対の連結体(80, 90)は、互いに噛み合って結合する噛合部(81, 91)を有し、噛合部(81, 91)が一旦噛み合うと破壊されないかぎり分離が不可能とされ、且つ、前記一対の連結体(80, 90)のそれぞれには、前記噛合部(81, 91)が噛み合うと互いに電気的に導通し、電源(４)からの電力を前記制御基板(70)へ供給する電力供給路(75)の一部を形成する導電部(82, 92)が設けられ、前記噛合部(81, 91)が互いに噛み合っている前記連結体(80, 90)を破壊して分離すると、前記導電部(82, 92)の電気的導通が解除されて前記電力供給路(75)が遮断されるように形成されていることを特徴とする。
【発明の効果】
【００１１】
（請求項１、５の効果）
以上のように構成されている本発明は、以下に記載されるような効果を奏する。
すなわち、請求項１又は５記載の発明によれば、ベース体及び蓋体を相互に連結すると、互いに連結される一対の連結体を設け、且つ、これら一対の連結体を連結すると、互いに噛み合う噛合部を当該一対の連結体に設け、これらの噛合部が一旦噛み合うと、連結体を破壊しない限り分離できないようにし、更に、これらの噛合部が噛み合うと互いに電気的に導通し、電源からの電力を制御基板へ供給する電力供給路の一部を形成する導電部とを設け、噛合部の噛み合いを解除するめに連結体を破壊すると、導電部の電気的導通が解除されて電力供給路が遮断されるようにしたので、不正ＲＯＭに交換する等の不正行為を行うために、ベース体及び蓋体の一方から他方を分離して基板ケースを開くと、連結体が破壊されて電力供給路が遮断される。従って、たとえ不正ＲＯＭに交換する作業が成功したとしても、基板ケースを開いた時点で、遊技機の動作を制御する制御基板への電源供給が停止し、その後の遊技が行えなくなるので、不正行為による不正な入賞が未然に防止され、これにより、不正行為の防止を充分図ることができる。
【００１２】
ここで、前述した連結体、噛合部及び導電部は、基板ケースの内部となるベース体及び蓋体の底板部又は天井部の表面、若しくは、これらの底板部又は天井部の周囲に立設される側壁の内部に設けることができ、このようにすれば、ベース体及び蓋体を連結した状態、換言すると、基板ケースを閉じた状態にすると、これらの連結体、噛合部及び導電部に対して外部からの操作が困難となり、この点からも、不正行為の防止を充分図ることができる。
（請求項２の効果）
請求項２記載の発明によれば、上記した請求項１記載の発明の効果に加え、次のような効果を奏する。
【００１３】
すなわち、請求項２記載の発明によれば、一対の連結体として、互いに相手側に向かって延びるものを採用したので、連結体の各々は、先端側が長手方向と直交する方向に撓むようになる。
そして、一対の連結体の先端部分を互いに噛み合うように鉤状に折れ曲げて、これにより噛合部を形成し、且つ、噛合部の各々に、当該噛合部が先細りとなるように、当該連結体の先端側を向くとともに、当該連結体に対して傾斜した案内面と、相手側の噛合部を係止するために、当該連結体の基端側を向くとともに、当該連結体に略直交する係止面とを設けたので、噛合部の案内面同士を当接させた状態で、一対の連結体の一方を他方に向かって押圧すると、一対の連結体は、案内面に案内されて先端側が撓み、互いの先端部分が離れる方向に一旦移動した後、互いの係止面同士が接触し合う位置まで前進すると、連結体自身の弾性力により、互いの先端部分が近づく方向に移動して、鉤状の噛合部が自動的に噛み合うようになる。
【００１４】
従って、基板ケースを閉じるために、ベース体に向かって蓋体を押しつければ、案内面同士の接触により一対の連結体が撓んで、一対の連結体の噛合部同士が連結される位置まで一対の連結体の一方を他方に対して容易に前進させることができ、更に、互いの噛合部同士が結合する位置まで前進すると、連結体自身の弾性力により、互いの鉤状の噛合部が自動的に噛み合うようになり、これにより、基板ケースの閉鎖作業に伴って、連結体同士の連結が自動的に行え、連結体同士を連結するようにしても、基板ケースの閉鎖作業における作業性を何ら損なうことがない。
また、一対の連結体のそれぞれに設けられている噛合部の係止面に、導電部の電極部を形成したので、連結体同士の連結により、一対の連結体のそれぞれに設けられている導電部同士が確実に導通するようになるので、基板ケースの閉鎖作業に伴って、制御基板への電力供給が自動的に行えるようになる。
【００１５】
なお、連結体同士が一旦連結されると、連結体自身の弾性力により、鉤状の噛合部の噛み合いが維持されるので、外部からの操作が困難となる部位に設けられている連結体の噛合部は、連結体が破壊されないかぎり、その連結の解除が行えないようになる。
（請求項３の効果）
請求項３記載の発明によれば、上記した請求項１又は２記載の発明の効果に加え、次のような効果を奏する。
すなわち、請求項３記載の発明によれば、ベース体及び蓋体の一方に、自身に設けられている連結体と対向する側壁体を設け、これら側壁体及び連結体の間に、他方に設けられている連結体が挿入されるようにしたので、基板ケースを閉じて連結体を連結させた後、基板ケースを開けるために、ベース体及び蓋体の一方から他方を引き離す外力を加えると、側壁体及び連結体の間に挿入された連結体の根本部分に前述の外力が集中するようになり、噛合部の結合を解除する際に、当該連結体が確実に破壊され、これにより、電力供給路が確実に遮断され、不正行為の防止効果をより一層高めることができる。
【００１６】
また、連結体の各係止面に電極部を形成するとともに、互いに隣接する連結体及び側壁体のそれぞれ対応する位置にも電極部を形成したので、連結体、この連結体と対向して形成された側壁体、及び、前述の連結体と側壁体との間に挿入される連結体の三つの部位を経由するように、導電部を三つに分割しても、基板ケースを閉じる際に連結体同士を連結すると、対応する電極部同士が接触して、分割した導電部を相互に導通させるようになり、これにより、電源の電力を制御基板に供給することができる。
（請求項４の効果）
請求項４記載の発明によれば、上記した請求項３記載の発明の効果に加え、次のような効果を奏する。
【００１７】
すなわち、請求項４記載の発明によれば、一対の連結体及び側壁体のそれぞれに、第１から第３までの電気伝導部を埋め込んだ状態で設けたので、第１から第３までの電気伝導部が表面に露出することがなく、基板ケースを開放したことにより、第１から第３までの電気伝導部が分断されてしまうと、金属製のクリップが両端に設けられた電線等の簡易な配線部材では、電気伝導部を再接続することが不可能となる。
このため、基板ケースを開放すると、第１から第３までの電気伝導部が分断されて、制御基板への電力供給が停止するうえ、遊技場で利用可能な簡易な配線部材では、電気伝導部の再接続が不可能となるので、基板ケースを開けて、不正ＲＯＭに交換しても、遊技が実行されることがなく、従って、不正行為による被害の発生も未然に防止することができる。
【発明を実施するための最良の形態】
【００１８】
以下に、本発明を実施するための最良の形態である一実施形態について、図面に基づいて説明する。
（図面の説明）
図１〜図６は、本発明の一実施形態を示すものである。図１は、本実施形態に係る遊技機であるスロットマシンの全体を示す正面図、図２は、本実施形態に係るスロットマシンを示す分解斜視図、図３は、本実施形態に係る基板ケースの閉鎖状態を示す斜視図、図４は、本実施形態に係る基板ケースの開放状態を示す分解斜視図、図５は、本実施形態の要部を示す拡大断面図、図６は、本実施形態の要部を示す図５とは異なる状態の拡大断面図である。
【００１９】
本実施形態に係るスロットマシン１は、図１及び図２に示すように、スロットマシン１の筐体として箱状に形成されるとともに、前面側に開口となる開口部11が形成された本体キャビネット10と、この本体キャビネット10の内部に着脱自在に設けられる後述する交換ユニット２と、本体キャビネット10の開口部11を開閉するために、本体キャビネット10に回動可能に設けられた前扉３とを備えたものとなっている。
このうち、前扉３は、開口部11の上半分を開閉可能に塞ぐ上扉としての上部前扉30と、開口部11の下半分を開閉可能に塞ぐ下扉としての下部前扉40との二つに分割され、上部前扉30を閉じた状態にしたまま、下部前扉40のみを開閉操作することができるようになっている。
【００２０】
（本体キャビネット10）
本体キャビネット10は、スロットマシン１の遊技を行うのに必要な各種の機器及び装置を収納するものである。具体的に説明すると、本体キャビネット10は、図２の如く、底部に配置された底板12、両側に配置された一対の側板13、頂部に配置された天板14及び背側に配置された背板15を有する筺体である。本体キャビネット10の高さ方向における略中央部分には、一対の側板13の間に水平に架け渡された中板16が設けられている。
このような本体キャビネット10の内部は、中板16により上下に仕切られており、中板16の上方の空間には、スロットマシン１独自の遊技を行うための主要部である交換ユニット２が収納されるようになっている。一方、中板16の下方の空間には、電源装置４及びホッパーユニット５が収納されている。
【００２１】
ここで、電源装置４は、スロットマシン１の全体に電力を供給するものである。この電源装置４の前面には、スロットマシン１への電力供給を入り切りする操作を行うための電源スイッチ4Aと、当選確率の設定を変更するために操作される設定変更スイッチとしての押しボタンスイッチ4Bと、この押しボタンスイッチ4Bによる設定変更操作を有効なものにする設定変更キーが差し込まれる鍵穴4Cとが設けられている。このうち、鍵穴4Cは、図１及び図２には図示されていないシリンダー錠型のロータリースイッチに形成されたものとなっている。
ホッパーユニット５は、スロットマシン１の遊技における遊技媒体であるメダルを内部に多数収納可能となった容器を備え、遊技者が入賞した場合に、その容器から入賞役に応じた数量のメダルを遊技者に払い出すものである。このホッパーユニット５の前面には、押圧操作されると、押圧操作されている間だけメダルの払い出し動作をホッパーユニット５に行わせる手動払出スイッチ5Aが設けられている。
【００２２】
また、電源装置４及びホッパーユニット５は、異なる交換ユニット２に対しても共通に利用できるものである。換言すれば、交換ユニット２を他の種類の交換ユニット２に交換するにあたり、電源装置４及びホッパーユニット５は、別のものへの交換が不要となっている。
（交換ユニット２）
交換ユニット２は、種々の部品を設置あるいは固定するための支持体としての枠体21と、この枠体21の内部に固定されたリールユニット22と、本発明に基づく基板ケース23とを含んで構成されたものとなっている。
【００２３】
リールユニット22は、周囲に複数の図柄を表示した複数の回転リール24と、これらの回転リール24を回転駆動する図示しない駆動モータとを有している。
基板ケース23は、略直方体状に形成された透明な合成樹脂製のケースである。この基板ケース23については、後で詳しく説明する。
そして、基板ケース23の内部には、各種の電子部品が実装された主基板70（図４参照）が収納されている。この主基板70は、スロットマシン１の遊技動作を制御するための制御回路が形成されている制御基板であり、マイクロコンピュータを構成するＬＳＩチップ79（図４参照）を備えて構成されている。この主基板70のマイクロコンピュータは、各種のソフトウエアがインストールされ、様々な制御処理を行う制御処理手段を備えたものとなっている。
【００２４】
また、本体キャビネット10に設けられた各側板13の内側の面には、交換ユニット２の枠体21を係止可能な固定金具６が設けられている。交換ユニット２は、本体キャビネット10の中板16の上に載置され、この状態で固定金具６に係止されることにより、本体キャビネット10の内部に収納・固定されるようになっている。
そして、固定金具６は、所定の操作が行われることにより、交換ユニット２への係止が解除されるようになっている。交換ユニット２は、固定金具６による係止が解除されると、本体キャビネット10から取り外して分離することが可能となっている。
また、交換ユニット２の枠体21には、上部前扉30を回動自在に支持する回動支持部25が設けられている。これにより、交換ユニット２は、上部前扉30が装着された状態で、本体キャビネット10に対して着脱することが可能となっている。
【００２５】
（下部前扉40）
下部前扉40は、図２に示すように、本体キャビネット10の図２中左方に配置された側板13に設けられた回動支持部17により、一端縁側が回動自在に支持され、且つ、他端縁側が図示しない施錠機構によりロック可能となった扉体である。ここで、回動支持部17は、前扉３の一部である下部前扉40の左右の側縁のうち、前面左側（図２中右側）の側縁を回動自在に片持ち支持するヒンジとなっている。
また、下部前扉40は、その奥行き寸法、換言すると、厚さが上部前扉30よりも大きくされ、これにより、前面が上部前扉30の前面よりも前方に迫り出している。このため、下部前扉40の上面は、上部前扉30の前面から水平に突出した略水平面となっている。この下部前扉40の上面近傍の部分が、スロットマシン１の遊技操作を行うための操作部50となっている。
【００２６】
図１に戻って、操作部50には、図１中右側から、下部前扉40の施錠を行う鍵が差し込まれる鍵穴51と、遊技用の遊技媒体であるメダルが投入されるメダル投入口52と、回転リール24の回転を停止させるストップスイッチ53と、メダル投入口52に投入されたメダルのうち該ゲームに賭けるメダルの枚数を設定するためのベットスイッチ54と、回転リール24の回転を開始させるスタートスイッチ55とが設けられている。
操作部50の下方には、文字及び図の少なくとも一方からなる標章、例えば、スロットマシン１の機種名を鮮明に表示するための下パネル60が設けられている。この下パネル60の裏側には、下パネル60を後方から照らす図示しないバックライト装置が設けられている。さらに、下パネル60の下方には、スロットマシン１の遊技において遊技者に払い出されたメダルを溜めておくためのメダル皿42が設けられている。
【００２７】
また、下部前扉40の裏面には、図２の如く、メダル投入口52に投入されたメダルを誘導しながらメダルの真贋を判定するためのメダルセレクタ43が設けられている。さらに、下部前扉40の下方左右の角隅近傍には、種々の音声を出力するためのスピーカ44が設けられている。
（上部前扉30）
上部前扉30は、図２に示すように、前述した枠体21に設けられた回動支持部25により、一端縁側が回動自在に支持され、且つ、他端縁側が図示しない施錠機構によりロック可能となった扉体である。ここで、回動支持部25は、前扉３の一部である上部前扉30が有する左右の側縁のうち、前面左側（図２中左側）の側縁を回動自在に片持ち支持するヒンジとなっている。
【００２８】
また、上部前扉30の略中央部には、図１及び図２に示すように、回転リール24の図柄を遊技者に見せるための図柄表示窓32が設けられている。
この図柄表示窓32の上方には、図１の如く、当該図柄表示窓32の上方を被さるように逆Ｕ字形に延びる装飾照明部33が設けられる一方、図柄表示窓32の下方には、種々の表示を行うための表示装置34が設けられている。
このうち、装飾照明部33は、白熱ランプや発光ダイオード等の各種の光源を含んで構成され、入賞の告知や演出等のために光源を点灯あるいは点滅されるものとなっている。
なお、本実施形態では、表示装置34として、７セグメントの発光ダイオードを備え、数字の表示が可能となった表示装置が採用されているが、表示面積が充分確保できる場合には、数字や文字だけでなく、画像の表示までもが可能となった液晶パネルやＣＲＴを利用した表示装置も採用できる。
【００２９】
（基板ケース23）
基板ケース23は、図３及び図４に示すように、スロットマシン１側に取り付けられるベース体71と、このベース体71とともに主基板70を収納する箱状を形成する蓋体72とを備えたものとなっている。
すなわち、ベース体71は、主基板70が取り付けられるように、主基板70のサイズに応じたほぼ長方形の平板状に形成された底部71A と、この底部71A の周縁部分に立設された側壁部71B とを備えたものとなっている。
このようなベース体71の図３中左右両側の側縁には、それぞれ外側へ張り出す取付耳部73が形成されている。取付耳部73には、図示しないボルトが挿通される挿通孔73A が形成されている。ベース体71は、取付耳部73の挿通孔73A に挿通された図示しないボルトを、交換ユニット２の枠体21に螺合させることにより、スロットマシン１側に取り付けられるものとなっている。
【００３０】
底部71A の四隅部分には、当該ベース体71に蓋体72を取り付けるための図示しないタッピングネジを螺合させるボス71C (図４にのみ示す)が立設されている。
蓋体72は、ベース体71に対応したサイズ及び平面形状を有する天井部72A と、この天井部72A の周縁部分からベース体71の側壁部71B へ向かって突出する側壁部72B とを備えたものとなっている。
このような蓋体72の図３中上下の側縁近傍には、主基板70への電気的接続を行うための図示しないコネクタを挿通させるために、複数のコネクタ挿通孔74が形成されている。
天井部72A の四隅部分には、ベース体71の蓋体72に形成されたボス71C に対応して、図示しないタッピングネジが挿通される挿通孔72C が形成されている。蓋体72は、挿通孔72C に挿通された図示しないタッピングネジを、ベース体71の蓋体72に形成されたボス71C に螺合させることにより、ベース体71に取り付けられるものとなっている。
【００３１】
これらのベース体71及び蓋体72には、図４に示すように、ベース体71及び蓋体72のそれぞれに一体的に形成されているとともに、ベース体71及び蓋体72を相互に連結すると、互いに連結される一対の連結体80, 90が設けられている。
一対の連結体80, 90は、図５及び図６に示すように、互いに噛み合って結合する噛合部81, 91を有し、噛合部81, 91が一旦噛み合うと破壊されないかぎり分離が不可能なものとされている。そして、一対の連結体80, 90のそれぞれには、噛合部81, 91が噛み合うと互いに電気的に導通し、電源装置４からの電力を主基板70へ供給する電力供給路75の一部を形成する導電部82, 92が設けられている。
【００３２】
換言すると、基板ケース23は、開放の際に、蓋体72をベース体71から外すには、噛合部81, 91が互いに噛み合っている連結体80, 90を破壊して分離する必要がある。そして、基板ケース23は、噛合部81, 91が互いに噛み合っている連結体80, 90を破壊して分離しようとすると、導電部82, 92の電気的導通が解除されて電力供給路75が途中で遮断され、主基板70への電力供給が断たれるように形成されている。
すなわち、交換ユニット２の枠体21には、電源装置４からの電力を主基板70へ供給する電力供給路75の一部を形成するとともに、基板ケース23のベース体71にまで達する電力供給線75A が内部に配線されている。
【００３３】
また、枠体21のベース体71の裏側の面に対向する部分には、平板状に形成された平板電極部76が、一面を露出させた状態で埋設されている。この平板電極部76には、電力供給線75A の端部が接続されている。
一方、枠体21には、その裏側の面を部分的に凹ました凹部77が設けられている。この凹部77は、ベース体71の平板電極部76に対応した位置に形成されている。この凹部77には、適度な弾性力を有するバネとして形成されたバネ状電極部78が設けられている。
これにより、ベース体71を枠体21に取り付けると、枠体21側の平板電極部76とベース体71側のバネ状電極部78とが接触しあい、電源装置４からの電力がベース体71のバネ状電極部78まで導かれるようになっている。
【００３４】
ここで、一対の連結体80, 90の各々は、互いに相手側に向かって延びるとともに、先端部分が互いに噛み合うように鉤状に折れ曲げられることにより形成された噛合部81, 91を有するものとなっている。
これらの噛合部81, 91の各々には、当該噛合部81, 91が先細りとなるように、当該連結体80, 90の先端側を向くとともに、当該連結体80, 90に対して傾斜した案内面81A, 91Aと、相手側の噛合部81, 91を係止するために、当該連結体80, 90の基端側を向くとともに、当該連結体80, 90の長手方向に略直交する係止面81B, 91Bとが設けられている。
なお、連結体90の根本部分には、基板ケース23の開放の際に、連結体90の根本部分が容易に破壊されるように、断面積が部分的に狭くされた頸部93が形成されている。
【００３５】
ここで、ベース体71及び蓋体72の一方であるベース体71には、ベース体71自身に設けられている連結体80と対向するように形成された側壁体83を備えたものとなっている。これにより、ベース体71体及び蓋体72は、ベース体71の側壁体83及び連結体80の間に、蓋体72の連結体90が挿入されるように形成されている。
そして、電源装置４からの電力を主基板70へ供給する電力供給路75の一部を形成する導電部82, 92は、一対の連結体80, 90のそれぞれに設けられている噛合部81, 91の係止面81B, 91Bに形成されている電極部82A, 92Aと、ベース体71及び蓋体72の他方である蓋体72に設けられている連結体90及び側壁体83のそれぞれ対応する位置に形成されている電極部82B, 92Bとを備えている。
【００３６】
連結体80側の電極部82A は、適度な弾性力を有するバネとして形成されたもの（以下、「バネ状電極部82A 」という）である。
連結体90側の電極部92A は、係止面81B 側を向いた一面を露出させた状態で係止面91B に埋設された平板状のもの（以下、「平板電極部92A 」という）となっている。
側壁体83側の電極部82B は、適度な弾性力を有するバネとして形成されたもの（以下、「バネ状電極部82B 」という）である。
側壁体83側の電極部82B に対応する連結体90の電極部92B は、側壁体83側を向いた一面を露出させた状態で連結体90の側面に埋設された平板状のもの（以下、「平板電極部92B 」という）となっている。
【００３７】
また、ベース体71及び主基板70は、互いの対向面に設けられるとともに、互いに対応する位置に配置されている電極部84, 85を備えている。
ここで、ベース体71側の電極部84は、主基板70側を向いた一面を露出させた状態でベース体71に埋設された平板状のもの（以下、「平板電極部84」という）となっている。
主基板70側の電極部85は、適度な弾性力を有するバネとして形成されたもの（以下、「バネ状電極部85」という）である。
そして、主基板70の所定位置には、取付ビス70A を挿通させる図示しない挿通孔が形成され、ベース体71には、取付ビス70A と螺合するボス71D が、主基板70側の図示しない挿通孔に対応して設けられている。ベース体71側の平板電極部84及び主基板70側のバネ状電極部85は、取付ビス70A で主基板70をベース体71に取り付けると、互いに接触して電気的に導通するように形成されている。これらの電極部84, 85を通じて、主基板70に設けられているＬＳＩチップ79等に電力が供給されるようになっている。
【００３８】
また、連結体80, 90には、主基板70へ電力供給を行う電力供給路75の一部を形成する導電部82, 92として、三つに分かれた電力供給線82C,92C,82D が設けられている。
電力供給線82C は、ベース体71に埋め込まれた状態でベース体71の裏側の表面に設けられたバネ状電極部78から側壁体83の電極部であるバネ状電極部82B まで延びる第１の電気伝導部である。換言すると、電力供給線82C は、ベース体71の裏側のバネ状電極部78から側壁体83のバネ状電極部82B まで電力を導くものとなっている。
電力供給線92C は、蓋体72に埋め込まれた状態で、蓋体72の連結体90に設けられている平板電極部92A, 92B同士を導通する第２の電気伝導部である。換言すると、電力供給線92C は、連結体90の側壁体83を向いた面に設けられている平板電極部92B から係止面91B に設けられている平板電極部92A まで電力を導くものとなっている。
【００３９】
電力供給線82D は、ベース体71に埋め込まれた状態で、ベース体71の連結体80のバネ状電極部82A から主基板70近傍の所定位置まで延びる第３の電気伝導部である。換言すると、電力供給線82D は、ベース体71の連結体80のバネ状電極部82A からベース体71の平板電極部84まで電力を導くものとなっている。
さらに、蓋体72に設けられている連結体90は、バネ状電極部82A の弾性力により常に係止面81B がベース体71に向かって押圧されようになっている。これにより、連結体90は、蓋体72から切り離されると、連結体80と側壁体83とが形成する谷の谷底部分86へ向かって移動するようになっている。
【００４０】
また、連結体90は、ベース体71の側壁体83に対向する側面における平板電極部92A よりも根本部分に近い部分を直方体状に凹ますことにより形成された凹部94を備えている。
凹部94は、閉鎖された基板ケース23を開放するために、連結体90の根本部分が破壊されて、連結体90が蓋体72から切り離された際に、ベース体71の側壁体83に設けられたバネ状電極部82B の先端が、その内部に入り込み、バネ状電極部82B によって連結体90を係止させるための部位である。
これにより、蓋体72から切り離された連結体90は、凹部94がバネ状電極部82B に係止され、ベース体71側の連結体80と側壁体83との間から抜け出せないようになっている。
【００４１】
このような基板ケース23は、当該基板ケース23を閉鎖するために、ベース体71及び蓋体72を相互に連結すると、ベース体71及び蓋体72のそれぞれに設けられている連結体80, 90が互いに連結されるようになっている。
そして、連結体80, 90が互いに連結されると、ベース体71に設けられているバネ状電極部82B 及びバネ状電極部82A が、それぞれ蓋体72に設けられている平板電極部92B 及び平板電極部92A に接触し、電力供給線82C 、電力供給線92C 及び電力供給線82D の三本の電気伝導体が互いに導通するようになっている。
これにより、主基板70には、ベース体71に設けられている側壁体83、蓋体72に設けられている連結体90、及び、ベース体71に設けられている連結体80の三つの部位を経由して、電源装置４からの電力が供給されるようになっている。
【００４２】
一方、基板ケース23は、当該基板ケース23を開放するために、ベース体71及び蓋体72を分離すると、図６に示すように、連結体90の根本部分が破壊されて、連結体90が蓋体72から切り離されるようになっている。
そして、連結体90が蓋体72から切り離されると、バネ状電極部82A の弾性力により連結体90が谷底部分86へ向かって移動し、ベース体71側のバネ状電極部82B 及びバネ状電極部82A のそれぞれと接触していた連結体90の平板電極部92B 及び平板電極部92A が離れ、その接触が解除されるようになっている。
これにより、電力供給線82C 、電力供給線92C 及び電力供給線82D の三本の電気伝導体が非導通状態となり、主基板70への電力供給が断たれるようになっている。
【００４３】
また、連結体90が蓋体72から切り離されると、連結体90の凹部94の内部にバネ状電極部82B の先端が入り込み、バネ状電極部82B によって連結体90が係止され、連結体90をベース体71側の連結体80と側壁体83との間から取り出せないようになっている。
これにより、連結体80と側壁体83との間の空間が連結体90によって占有されるので、可塑性のある導電部材、例えば、アルミ箔を小さく丸めたもの等を連結体80と側壁体83との間に挿入し、バネ状電極部82B とバネ状電極部82A とを導通させるようとしても、このような導電部材の挿入が連結体90によって阻止され、一旦閉鎖した基板ケース23を開放した後には、バネ状電極部82B とバネ状電極部82A との導通が行えないようになっている。
【００４４】
前述のような本実施形態によれば、次のような効果が得られる。
すなわち、ベース体71及び蓋体72を相互に連結すると、互いに連結される一対の連結体80, 90をベース体71及び蓋体72のそれぞれに設け、且つ、ベース体71及び蓋体72を相互に連結すると、互いに噛み合う噛合部81, 91を一対の連結体80, 90にそれぞれ設け、これらの噛合部81, 91が一旦噛み合うと、連結体90の根本部分を破壊しない限り連結体80, 90の分離が行えないようにし、更に、噛合部81, 91の噛み合いにより互いに電気的に導通して、電源装置４からの電力を主基板70へ供給する電力供給路75の一部を形成する導電部82, 92を設ける一方、基板ケース23を開けるために、連結体90の根本部分を破壊して、連結体90を蓋体72から分離すると、導電部82, 92の電気的導通が解除されて電力供給路75が途中で遮断されるようにしたので、不正ＲＯＭに交換する等の不正行為を行うために、ベース体71及び蓋体72を分離して基板ケース23を開くと、連結体90の根本部分が破壊されて電力供給路75が遮断される。
【００４５】
従って、たとえ不正ＲＯＭに交換する作業が成功したとしても、基板ケース23を開いた時点で、スロットマシン１の動作を制御する主基板70への電源供給が停止し、その後の遊技が行えなくなるので、不正行為による不正な入賞が未然に防止され、これにより、不正行為の防止を充分図ることができる。
ここで、連結体80, 90、噛合部81, 91及び導電部82, 92は、基板ケース23の内部となるベース体71及び蓋体72の側壁部71B, 72Bの内側に設けたので、ベース体71及び蓋体72を連結する、換言すると、基板ケース23を閉じると、これらの連結体80, 90、噛合部81, 91及び導電部82, 92に対して外部から操作することが困難となり、この点からも、不正行為の防止を充分図ることができる。
【００４６】
また、一対の連結体80, 90として、互いに相手側に向かって延びるものを採用したので、連結体80, 90の各々は、先端側が長手方向と直交する方向に撓むようになる。
そして、一対の連結体80, 90の先端部分を互いに噛み合うように鉤状に折れ曲げて、これにより噛合部81, 91を形成し、且つ、噛合部81, 91の各々に、当該噛合部81, 91が先細りとなるように、当該連結体80, 90の先端側を向くとともに、当該連結体80, 90に対して傾斜した案内面81A, 91Aと、相手側の噛合部81, 91を係止するために、当該連結体80, 90の基端側を向くとともに、当該連結体80, 90に略直交する係止面81B, 91Bとを設けたので、噛合部81, 91の案内面81A, 91A同士を当接させた状態で、一対の連結体の一方を他方に向かって押圧すると、一対の連結体80, 90は、案内面81A, 91Aに案内されて先端側が撓み、互いの先端部分が離れる方向に一旦移動した後、互いの係止面81B, 91B同士が接触し合う位置まで前進すると、連結体80, 90自身の弾性力により、互いの先端部分が近づく方向に移動して、鉤状の噛合部81, 91が自動的に噛み合うようになる。
【００４７】
従って、基板ケース23を閉じるために、ベース体71に向かって蓋体72を押しつければ、案内面81A, 91Aの接触により一対の連結体80, 90が撓んで、一対の連結体80, 90の噛合部81, 91同士が結合する位置まで一対の連結体80, 90の一方を他方に対して前進させることができ、更に、互いの噛合部81, 91同士が結合する位置まで前進すると、連結体80, 90自身の弾性力により、互いの鉤状の噛合部81, 91が自動的に噛み合うようになり、これにより、基板ケース23の閉鎖作業に伴って、連結体80, 90同士の連結が自動的に行われ、連結体80, 90同士を連結するようにしても、基板ケース23の閉鎖作業における作業性を何ら損なうことがない。
【００４８】
さらに、一対の連結体80, 90のそれぞれに設けられている噛合部81, 91の係止面81B, 91Bに、導電部82, 92の電極部82A, 92Aを設けたので、連結体80, 90同士の連結により、一対の連結体80, 90のそれぞれに設けられている導電部82, 92同士が確実に導通するようになるので、基板ケース23の閉鎖作業に伴って、主基板70への電力供給を自動的に行えるようにすることができる。
また、連結体80, 90同士が一旦連結されると、連結体80, 90自身の弾性力により、鉤状の噛合部81, 91の噛み合いが維持されるので、外部からの操作が困難となる部位に設けられている連結体80, 90の噛合部81, 91は、連結体90の根本部分が破壊されないかぎり、その連結の解除が行えず、この点からも、不正行為の防止を充分図ることができる。
【００４９】
さらに、ベース体71に、当該ベース体71に設けられている連結体80と対向する側壁体83を設け、これら側壁体83及び連結体80の間に、蓋体72に設けられている連結体90が挿入されるようにしたので、基板ケース23を閉じて連結体80, 90を連結させた後、基板ケース23を開けるために、ベース体71から蓋体72を引き離す外力を蓋体72に加えると、側壁体83及び連結体80の間に挿入された連結体90の根本部分に前述の外力が集中するようになる。従って、噛合部81, 91の連結を解除する際に、当該連結体90の根本部分が確実に破壊されるようになるので、電力供給路75が確実に遮断され、不正行為の防止効果をより一層高めることができる。
【００５０】
また、連結体80, 90の各係止面81B, 91Bに電極部82A, 92Aを形成するとともに、互いに隣接する連結体90及び側壁体83のそれぞれ対応する位置にも電極部92B, 82Bを形成したので、連結体80、この連結体80と対向するように形成された側壁体83、及び、連結体80と側壁体83との間に挿入される連結体90の三つの部位を経由するように、導電部82, 92を三つに分割しても、基板ケース23を閉じる際に連結体80, 90同士を連結すると、対応する電極部82A, 92A同士及び電極部82B, 92B同士が接触して、分割した導電部82, 92を相互に導通させるようになり、これにより、基板ケース23の閉鎖に伴って、主基板70への電力供給を自動的に開始することができる。
【００５１】
さらに、一対の連結体80, 90及び側壁体83のそれぞれに、第１から第３までの電気伝導部として電力供給線82C,92C,82D を埋め込んだ状態で設けたので、電力供給線82C,92C,82D が連結体80, 90及び側壁体83の表面に露出することがなく、基板ケース23を開放したために、連結体90の根本部分が破壊されて、電力供給線82C,92C,82D が分断されてしまうと、金属製のクリップが両端に設けられた電線等の簡易な配線部材では、電力供給線82C,92C,82D を再接続することが不可能となる。
このため、基板ケース23を開放すると、電力供給線82C,92C,82D が分断されて、主基板70への電力供給が停止するうえ、遊技場で利用可能な簡易な配線部材では、電力供給線82C,92C,82D の再接続が不可能となるので、基板ケース23を開けて、不正ＲＯＭに交換しても、不正ＲＯＭを利用した遊技の実行を確実に阻止することができ、従って、不正行為による被害の発生も未然に防止することができる。
【００５２】
なお、本発明は、前記実施形態に限定されるものではなく、本発明の目的を達成できる範囲における変形及び改良などをも含むものである。
すなわち、前記実施形態では、側壁体83をベース体71側に設けたが、反対に、側壁体83を蓋体72側に設け、蓋体72側に設けた側壁体83及び連結体90の間に、ベース体71側の連結体80を挿入するようにしてもよい。この場合、ベース体71側に設けた連結体80の根本部分に、断面積が部分的に狭くされた頸部93を設け、基板ケース23の開放の際に、連結体80の根本部分が容易に破壊されるようにするのが好ましい。
また、前記実施形態では、ベース体71側に設けた電極部82A, 82Bを、適度な弾性力を有するバネ状電極部としたが、反対に、蓋体72側に設けた電極部92A, 92Bを、適度な弾性力を有するバネ状電極部にしてもよく、あるいは、ベース体71側に設けた電極部82A, 82B、及び、蓋体72側に設けた電極部92A, 92Bの両方をバネ状電極部にしてもよい。
【００５３】
さらに、前記実施形態では、連結体90の根本部分が破壊されて連結体90が蓋体72から分離すると、電極部82A, 92A及び電極部82B, 92Bのそれぞれの接触が解除され、これにより、電力供給路75が遮断されるようにしたが、連結体90を側壁体83及び連結体80の間から引き抜くと、電力供給線が切断され、これにより、電力供給路75が遮断されるようにしてもよい。
例えば、図７に示すように、側壁体83及び連結体90の両方に対して１本の電力供給線82C を設け、側壁体83と連結体90との隙間において、側壁体83から連結体90へ架け渡される架線部分87を電力供給線82C に形成しておき、連結体90が側壁体83及び連結体80の間から引き抜かれると、電力供給線82C が架線部分87で剪断され、これにより、電力供給路75が遮断されるようにしてもよい。
【００５４】
この際、ベース体71側に設けた連結体80の根本部分に、断面積が部分的に狭くされた頸部88を設け、連結体90が側壁体83及び連結体80の間から引き抜かれると、連結体80の根本部分が容易に破壊されるとともに、連結体80の根本部分に配置された電力供給線82D の破断予定部89が容易に破断されるようにしておき、基板ケース23の開放の際に、電力供給線82D が破断予定部89で分断され、これによっても、電力供給路75が遮断されるようにしてもよい。
また、遊技機としては、スロットマシンに限らず、パチンコ機等の弾球遊技、あるいは、アーケードゲーム用の遊技機等、他の種類の遊技を行う遊技機でもよく、要するに、本発明は、制御基板を収納する基板ケースを備えた遊技機であれば、その種類に関係なく適用できる。
【図面の簡単な説明】
【００５５】
【図１】本発明の実施の一形態に係る遊技機であるスロットマシン全体を示す正面図である。
【図２】前記実施形態に係るスロットマシンを示す分解斜視図である。
【図３】前記実施形態に係る基板ケースの閉鎖状態を示す斜視図である。
【図４】前記実施形態に係る基板ケースの開放状態を示す分解斜視図である。
【図５】前記実施形態の要部を示す拡大断面図である。
【図６】前記実施形態の要部を示す図５とは異なる状態の拡大断面図である。
【図７】本発明の変形例を示す図５に相当する図である。
【符号の説明】
【００５６】
１        遊技機としてのスロットマシン
４        電源としての電源装置
23        基板ケース
70        制御基板としての主基板
71        ベース体
72        蓋体
75        電力供給路
80, 90    連結体
81, 91    噛合部
81A, 91A  案内面
81B, 91B  係止面
82, 92    導電部
82C       第１の電気伝導部としての電力供給線
82A       電極部としてのバネ状電極部
82B       電極部としてのバネ状電極部
82D       第３の電気伝導部としての電力供給線
83        側壁体
92A       電極部としての平板電極部
92B       電極部としての平板電極部
92C       第２の電気伝導部としての電力供給線
【図１】
2008119030.tif 000003
【図２】
2008119030.tif 000004
【図３】
2008119030.tif 000005
【図４】
2008119030.tif 000006
【図５】
2008119030.tif 000007
【図６】
2008119030.tif 000008
【図７】
2008119030.tif 000009